(57)【要約】【課題】つかみ歯で固着が困難な小形試験片を固着可能な両振用つかみ具を提供する。【解決手段】試験片１の固着部１ａ断面と同形の開口部２１ａを設けたチャック蓋２１と挿入された試料片１を９０°回転した状態で固定するチャック本体２２からなるチャック２と、試験片１の固着部１ｂを挿入するチャック蓋３１とチャック本体３２からなるチャック３で構成する。これにより、試験片１は固着部１ａ、１ｂの肩部とチャック蓋２１及びチャック蓋３１が密着して固定されるので、小形の試験片であっても引張圧縮試験が可能となる。【選択図】          図１
0003120399.tif 000002
【実用新案登録請求の範囲】
【請求項１】
試験片の両端部に一定の厚さを有する矩形状の固着部が形成され、この固着部を把持する試験機に設置されたつかみ具であって、このつかみ具は試験片両端の固着部を挿入する固着部断面と同形の開口部を設けたチャック蓋と、このチャック蓋と結合して固着部を収容する空間部と、この空間部内で固着部と開口部の方向を交差させた状態で固着部端を押し込む押込部材を内蔵したチャック本体からなり、試験片に引張又は圧縮荷重を負荷することができることを特徴とする両振用つかみ具。
【考案の詳細な説明】
【技術分野】
【０００１】
本考案は、引張圧縮試験機用の両振用つかみ具に関し、特に試験片端部の平面部把持が困難な小形試験片を固着できる両振用つかみ具に関する。
【背景技術】
【０００２】
一般的な引張試験機の概略構成を図４に示す。本引張試験機は、計測制御装置１０１からの制御信号によって制御されるモータＭ、該モータＭによって駆動されるねじ杆１０９、１０９及び該ねじ杆１０９に螺合して上下に移動可能なクロスヘッド１０２からなる試験機構と、前記モータＭを収容する機台Ｄと、前記ねじ杆１０９を支持して前記機台Ｄに立設された支柱Ｐ、Ｐと、前記クロスヘッド１０２及び機台Ｄに連結されたつかみ具１０３、１０４と、試験片Ｓに加わる荷重を検出する荷重センサ１０５及び試験片Ｓの変位を検出する変位センサ１０６等から構成されている。この引張試験機により試験片Ｓの引張試験を行うには、先ず、試験片Ｓを把持するのに適した位置につかみ具１０３が配置されるように、計測制御装置１０１を操作してモータＭを駆動し、モータＭにて回転駆動されるねじ杆１０９に螺合するクロスヘッド１０２が変位して負荷が行われる。そして、つかみ具１０３、１０４に試験片Ｓの両端を把持した後、前記計測制御装置１０１に格納されている引張試験プログラムを実行する。
【０００３】
前記つかみ具１０３、１０４には各種の試験片把持装置が用いられている。図５はくさび式の試験片把持装置の構成を示したものである。この試験片把持装置で試験片Ｓを把持するには先ずハンドル１１１を反時計方向に回して、負荷軸Ｘに対しチャックフレ―ム１１２を下降させる。これにより、つかみ歯１１３、１１４はチャックフレーム１１２に対して上昇し、周囲にスキマができ左右に開くことができる。このつかみ歯１１３、１１４の間に試験片Ｓを挿入してハンドル１１１を時計方向に回すと、チャックフレーム１１２が上昇するとともにつかみ歯１１３、１１４が徐々に閉じ、試験片Ｓを把持する（例えば特許文献１参照）。
【０００４】
【特許文献１】特開２００２−１３９４１１号公報
【考案の開示】
【考案が解決しようとする課題】
【０００５】
従来のつかみ具は上記のように構成されているが、つかみ代の少ない試験片Ｓに対しては、つかみ歯面が完全に追従できず、そのため確実な把持を行うことができず、試験中の試験片Ｓの位置ずれや抜け落ちが発生するなどの問題がある。
本考案は、このような事情に鑑みてなされたものであって、つかみ代の少ない試験片をも確実に把持し、引張圧縮試験が可能な両振用つかみ具を提供することを目的とするものである。
【課題を解決するための手段】
【０００６】
上記の目的を達成するため、本考案の両振用つかみ具は、試験片の両端部に一定の厚さを有する矩形状の固着部が形成され、この固着部を把持する試験機に設置されたつかみ具であって、このつかみ具は試験片両端の固着部を挿入する固着部断面と同形の開口部を設けたチャック蓋と、このチャック蓋と結合して固着部を収容する空間部と、この空間部内で固着部と開口部の方向を交差させた状態で固着部端を押し込む押込部材を内蔵したチャック本体からなり、試験片に引張又は圧縮荷重を負荷する。
【０００７】
本考案の両振用つかみ具は、上記のように構成されており、引張圧縮試験において把持が困難な小形試験片を確実に固着することができる。
【考案の効果】
【０００８】
本考案の両振用つかみ具は小さな試験片や硬い試験片を扱うことができること、交番荷重試験等の両振試験が可能であること、コストダウンが可能であること、つかみ歯などの消耗部品を使用しないので交換部品を必要としない等の効果を奏する。
【考案を実施するための最良の形態】
【０００９】
本考案の実施例を図面を参照しながら詳細に説明する。図１は本考案の両振用つかみ具の断面図、図２は挿入された試験片１側から見たチャック蓋の外観図、図３は試験片１の平面図（Ａ）とその側面図（Ｂ）である。固着部１ａ、１ｂはほぼ矩形状に形成されつかみ具に確実に把持されるようになっている。この固着部１ａ、１ｂの厚さは図（Ｂ）に示すように試験片１全体が同一になっている。本両振用つかみ具は、図１に示すように取外し可能に試験片１の一方の固着部１ａを固定する上方側のチャック２と他方の固着部１ｂを固定する下方側のチャック３から構成される。
【００１０】
前記チャック２は、試験片１の固着部１ａを挿入するために図２に示すような開口部２１ａが形成されたチャック蓋２１と、図１に示すような挿入された試験片１の固着部１ａを固定する機構が設けられているチャック本体２２及びこれらを結合する六角穴付ネジ２７で構成されている。このチャック本体２２は、段付円筒形でその中空部の上方側にめネジ２３ａ、側面に縦長の開口部２３ｂを形成したケーシング２３と、前記開口部２３ｂ内を移動可能なネジ２４を螺合することによって水平方向の回転が阻止され、上下方向のみ移動可能で、中心部に円形の凹み２５ａが形成された円形ブロック２５と、前記凹み２５ａに挿入される突起部２６ａ、前記めネジ２３ａと螺合するおネジ２６ｂ、治具（図示省略）を用いて回転方向の動きを止めるための平面部２６ｃ及び引張圧縮試験機のクロスヘッド側部材４に設けられているロードセル５のネジ部に螺合させるおネジ２６ｄが一体的に形成された連結部２６から構成され、前記チャック蓋２１と前記ケーシング２３とは４個の六角穴付ボルト２７で結合されている。
【００１１】
また、前記チャック３は、試験片１の固着部１ｂを挿入するために前記開口部２１ａと同形の開口部３１ａ（図２）が形成されたチャック蓋３１と、図１に示すような挿入された試験片１の固着部１ｂを固定する機構が設けられているチャック本体３２及びこれらを結合する六角穴付ネジ２７で構成されている。このチャック本体３２は段付円筒形でその側面におネジ３３ａと縦長の開口部３３ｂを形成したケーシング３３と、中心部にめネジ３４ａが形成されケーシング３３と螺合したのちネジ３４ｂで回転止めした位置調節ノブ３４と、前記開口部３３ｂ内を移動するネジ２４を螺合することによって上下方向のみ移動可能で、中心部に円形の凹み３５ａが形成された円形ブロック３５と、先端が前記凹み３５ａに挿入され後方におネジ３６ａを形成した円柱部材３６の端部にノブ３７を螺合しナット３８で回り止めした押付具３９から構成されている。このチャック３は引張圧縮試験機のテーブル台６にネジ６ａで固定されたフレーム７にブッシング８を介してネジ９で螺合され、ナット３３ｃで回転が固定される。
【００１２】
次に上記両振用つかみ具に試験片１を固定して引張あるいは圧縮試験の準備を行う場合の操作手順を以下に説明する。図１に示すように試験機のテーブル台６にチャック３を装着したフレーム７を固定し、クロスヘッドを駆動してチャック２を一旦上方に移動させる。この状態で試験片１の固着部１ａをチャック蓋２１の開口部２１ａに挿入し後、図２に示すように開口部２１ａと固着部１ａの方向が約９０°で交差するように試験片１を回転させる。次に連結部２６の平面部２６ｃを押さえた状態でチャック蓋２１をゆっくりと時計方向に回す。これにより、円形ブロック２５は固着部１ａ方向に押し込まれ、固着部１ａの肩部はチャック蓋２１内壁、固着部１ａの端面は円形ブロック２５ではさみこまれ固定される。
【００１３】
次にクロスヘッドを下方に徐々に移動させ、チャック３のチャック蓋３１が試験片１の固着部１ｂに接近した状態でチャック蓋３１の開口部３１ａと試験片１の方向を位置調節ノブ３４を回転して合わせ、さらにクロスヘッドを下降させて固着部１ｂをチャック蓋３１内に収容する。そして、チャック蓋３１の開口部３１ａと試験片１の方向が約９０°で交差するように位置調節ノブ３４を回転させる。そしてクロスヘッドを徐々に上昇させ試験片１に若干のテンションが掛かる状態とした後、押付具３９を回して円形ブロック３５を持ち上げ試験片１の固着部１ａ、１ｂの肩部と後部端面をチャック蓋３１の内壁と円形ブロック３５の上面で押し付け固定する。この状態で試験機による引張試験あるいは圧縮試験の開始準備が完了する。なお、本操作手順では最初試験片１を上方のチャック２より固定しているが、下方のチャック３から固定することも可能である。
【００１４】
本考案の両振用つかみ具は、試験片の固着部の肩部と後端面を押さえ込んで固定することにより試験片に引張りまたは圧縮荷重が加えられるようにしたものでありその構成は実施例に限定されるものではない。例えばフレーム７をチャック２取り付け可能な構造にしチャック３の代わりにチャック２を使用してもよい。
【産業上の利用可能性】
【００１５】
本考案の両振用つかみ具は引張圧縮試験あるいは一定負荷での脈動試験などの試験片つかみ具として、特に試験片端部の平面部把持が困難な小形試験片を固着するつかみ具として用いられる。
【図面の簡単な説明】
【００１６】
【図１】本考案の両振用つかみ具の断面図である。
【図２】実施例に係わるチャック蓋の開口部と試験片の位置関係を示す図である。
【図３】試験片の外形を示す平面図（Ａ）と側面図（Ｂ）である。
【図４】引張試験機の概略構成図である。
【図５】くさび式の試験片把持装置の構成図である。
【符号の説明】
【００１７】
１  試験片
１ａ、１ｂ  固着部
２、３  チャック
４  クロスヘッド側部材
５  ロードセル
６  テーブル台
６ａ、９、２４、３４ｂ  ネジ
７  フレーム
８  ブッシング
２１、３１  チャック蓋
２１ａ、３１ａ、２３ｂ、３３ｂ  開口部
２２、３２  チャック本体
２３、３３  ケーシング
２３ａ、３４ａ  めネジ
２５、３５  円形ブロック
２５ａ、３５ａ  凹み
２６  連結部
２６ａ  突起部
２６ｂ、２６ｄ、３３ａ、３６ａ  おネジ
２６ｃ  平面部
２７  六角穴付ネジ
３３ｃ、３８  ナット
３４  位置調節ノブ
３６  円柱部材
３７  ノブ
３９  押付具
１０１  計測制御装置
１０２  クロスヘッド
１０３、１０４  つかみ具
１０５  荷重センサ
１０６  変位センサ
１０９  ねじ杆
１１１  ハンドル
１１２  チャックフレーム
１１３、１１４  つかみ歯
Ｄ  機台
Ｍ  モータ
Ｐ  支柱
Ｓ  試験片
Ｘ  負荷軸
【図１】
0003120399.tif 000003
【図２】
0003120399.tif 000004
【図３】
0003120399.tif 000005
【図４】
0003120399.tif 000006
【図５】
0003120399.tif 000007